(57)【特許請求の範囲】
【請求項１】
スピーカユニットを内蔵したヘッドホン本体の一方の面に聴取者の耳に宛がうイヤーパッドを取り付けたヘッドホンにおいて、上記イヤーパッドの硬さが、聴取者の顔の前方側に対応する部分が柔らかく、後方側に対応する部分が硬くなるように、前方側の部分から後方側の部分に亙って変化する形状としたことを特徴とするヘッドホン。
【請求項２】
スピーカユニットを内蔵したヘッドホン本体の一方の面に聴取者の耳に宛がうイヤーパッドを取り付けたヘッドホンにおいて、上記イヤーパッドの硬さが、聴取者の顔の前方側に対応する部分が柔らかく、後方側に対応する部分が硬くなるように、前方側の部分から後方側の部分に亙って漸次連続的に変化する形状としたことを特徴とするヘッドホン。
【発明の詳細な説明】
【０００１】
【発明の属する技術分野】
本発明は、ヘッドホンに関し、特に耳に掛けて使用するいわゆるクリップタイプのヘッドホンに関するものである。
【０００２】
【従来の技術】
図１１〜図１３は従来の耳掛け式ヘッドホンを示す正面図、上面図及び上面断面図であり、これらの図に示すように、従来のヘッドホンは、外形が円形の合板状に形成され内部にドライバユニット２を含むスピーカユニット３を内蔵したヘッドホン本体１と、このヘッドホン本体１の一方の面に取り付けられ、外形が円形の台板状に形成されたイヤーパッド４と、上記ヘッドホン本体１のイヤーパッド４が取り付けられている面とは反対側の背面を覆っているハウジング部材５と、該ハウジング部材５の周縁の１点より導出され、ほぼ「へ」の字状に形成した耳掛け６とから形成されている。
【０００３】
耳掛け６は、バネ性に富んだ材料からなっており、耳に掛けるように装着することで、イヤーパッド４を耳に宛がって適度なフィット感が得られるようになっている。そして、このようにヘッドホンを装着することにより、スピーカユニット３より発生した音がイヤーパッド４を通して耳に放射され、迫力のある音が聴こえる。
【０００４】
【発明が解決しようとする課題】
上記構成において、ヘッドホンを耳に掛けて音楽などを聴こうとした場合、イヤーパッド４と耳の間に広い隙間が生じ、このためにヘッドホンを装着した状態では、音漏れや音質の低下が生じたり、安定したフィット感が得られないとの問題があった。
【０００５】
この問題を解決するために従来では、耳掛け６のバネを強くしてイヤーパッド４と聴取者の耳の隙間部分の密着をよくするという対策を講じていたが、耳掛け６のバネが強くなったことによって、耳が圧迫されて痛みや不快感が増すなどの新たな問題が生じていた。
【０００６】
【課題を解決するための手段】
本発明は、上記従来の問題点に鑑みて発明されたものであり、イヤーパッドの耳へのフィット感を損なうことなく、音漏れや音質の劣化を防止することができるヘッドホンを提供することを目的としている。
【０００８】
具体的には、スピーカユニットを内蔵したヘッドホン本体の一方の面に聴取者の耳に宛がうイヤーパッドを取り付けたヘッドホンにおいて、イヤーパッドの硬さを変化させる。すなわち、聴取者の顔の前方側に対応する部分が柔らかく、後方側に対応する部分が硬くなるように、前方側の部分から後方側の部分に亙って、漸次連続的にイヤーパッドの硬さを変化させる。このようにイヤーパッドの硬さを変化させることで、ヘッドホンを装着した際、イヤーパッドの硬さの変化が耳の前後の隙間の差を埋め、ヘッドホン本体と耳を密着させることができる。
【００１０】
【発明の実施の形態】
以下に本発明の実施形態を図面を参照して説明する。図１〜図３は、本発明に係るヘッドホンの第１の実施形態を示す正面概略図、上面概略図及び上面概略断面図である。なお、説明の便宜上、従来のヘッドホンと同一部分には同一符号を附して説明する。
【００１１】
図中符号１で示すものは外形が円形の台板状に形成され内部にドライバユニット２を含むスピーカユニット３を備えたヘッドホン本体、４はスポンジ状部材で形成され外形を円形の台板状に形成したキャップ体からなるイヤーパッドであり、上記ヘッドホン本体１の一方の面に取り付けられている。
【００１２】
５は、上記ヘッドホン本体１のイヤーパッド４が取り付けられている面とは反対側の背面を覆っているハウジング部材、６はこのハウジング部材５の周縁の１点より放音部であるイヤーパッド４の前面側に導出され、ほぼ「へ」の字状に形成された耳掛けである。
【００１３】
この耳掛け６は、バネ性に富んだ材料からなっており、耳に掛けるように装着することで、イヤーパッド４を耳に宛がって適度なフィット感が得られるようになっている。そして、このようにヘッドホンを装着することにより、スピーカユニット３より発生した音がイヤーパッド４を通して耳に放射され、迫力のある音が聴こえる。
【００１４】
上記構成において、イヤーパッド４は、図３に示すように、聴取者の顔の側面に接する面（装着面４ａ）を、その厚みが聴取者の顔の前方側に対応する部分（前方部４ｂ）が薄く、後方側に対応する部分（後方部４ｃ）が厚くなるように、前方部４ｂから後方部４ｃに亙って漸次連続的に変化する傾斜面としている。
【００１５】
このヘッドホンを図４に示すように、聴取者の耳に音楽が聴ける状態で装着すると、イヤーパッド４の厚みの変化が耳の前後の隙間の差を埋めることとなり、ヘッドホン本体１と耳を密着させることができる。その結果、ヘッドホン装着時の耳への圧迫感をなくすとともに、音漏れ防止と再生音質の向上を図ることができる。
【００１６】
図５〜図７は、本発明に係るヘッドホンの第２の実施形態を示す正面概略図、上面概略図及び上面概略断面図である。
【００１７】
この実施形態において、１は外形が円形の台板状に形成され内部にドライバユニット２を含むスピーカユニット３を備えたヘッドホン本体、４はスポンジ状部材で形成され外形を円形の合板状に形成したキャップ体からなるイヤーパッドであり、上記ヘッドホン本体１の一方の面に取り付けられている。
【００１８】
５は、上記ヘッドホン本体１のイヤーパッド４が取り付けられている面とは反対側の背面を覆っているハウジング部材、６はこのハウジング部材５の周縁の１点より導出されほぼ「へ」の字状に形成された耳掛けである。
【００１９】
この耳掛け６は、バネ性に富んだ材料からなっており、耳に掛けるように装着することで、イヤーパッド４を耳に宛がって適度なフィット感が得られるようになっている。そして、このようにヘッドホンを装着することにより、スピーカユニット３より発生した音がイヤーパッド４を通して耳に放射され、迫力のある音が聴こえる。
【００２０】
上記構成において、この第２の実施形態のイヤーパッド４は、上記第１の実施形態のイヤーパッド４では聴取者の側面に接する面（装着面４ａ）を傾斜面としているのに対して、装着面４ａを平坦に、即ち、厚みを一定にしているが、その硬さを聴取者の顔の前方側に対応する部分（前方部４ｂ）が柔らかく、後方側に対応する部分（後方部４ｃ）が硬くなるように硬さの強弱をつけることで、前方部４ｂから後方部４ｃに亙ってイヤーパッド４の硬さが漸次連続的に変化するようにしている。
【００２１】
このヘッドホンを図４に示すように、聴取者の耳に音楽が聴ける状態で装着すると、イヤーパッド４の厚みの変化が耳の前後の隙間の差を埋めることとなり、ヘッドホン本体１と耳を密着させることができる。その結果、ヘッドホン装着時の耳への圧迫感をなくすとともに、音漏れ防止と再生音質の向上を図ることができる。
【００２２】
図８〜図１０は、本発明に係るヘッドホンの第３の実施形態を示す正面概略図、上面概略図及び上面概略断面図である。
【００２３】
この実施形態において、１は外形が円形の台板状に形成され内部にドライバユニット２を含むスピーカユニット３を備えたヘッドホン本体、４はスポンジ状部材で形成され外形を円形の台形状に形成したキャップ体からなるイヤーパッドであり、上記ヘッドホン本体１の一方の面に取り付けられている。
【００２４】
５は、上記ヘッドホン本体１のスピーカユニット３が取り付けられている面とは反対側の背面を覆っているハウジング部材、６はこのハウジング部材５の周縁の一点より導出され、ほぼ「へ」の字状に形成された耳掛けである。
【００２５】
上記構成において、この第３の実施形態のイヤーパッド４は、上記第１及び第２の実施形態のイヤーパッド４とは異なり、その素材を体温による加熱によって形状を変化させることができる材料、即ち、形状記憶合金で形成されている。
【００２６】
このヘッドホンを聴取者の耳に装着すると、イヤーパッド４の形状が聴取者の体温によって変化し、ヘッドホン本体１と耳の間に隙間を作ることのない形状に形成することができ、耳の形状に個人差があっても、イヤーパッド４の形を変化させることでヘッドホン本体１と耳を密着することができる。その結果、ヘッドホン装着時の耳への圧迫感をなくすとともに、音漏れ防止と再生音質の向上を図ることができる。
【００２７】
【発明の効果】
以上説明したように本発明によると、イヤーパッドと耳との間にできる隙間に耳の前後で差がないようにして、ヘッドホン本体と耳を密着させることができる。その結果、ヘッドホン装着時の耳への圧迫感をなくすとともに、音漏れ防止と再生音質の向上を図ることができる。
【図面の簡単な説明】
【図１】  本発明のヘッドホンの第１の実施形態を示す正面概略図である。
【図２】  同上第１の実施形態に係るヘッドホンの上面概略図である。
【図３】  同上第１の実施形態に係るヘッドホンの上面概略断面図である。
【図４】  同上第１の実施形態に係るヘッドホンを聴取者の耳に装着した状態を示す正面図である。
【図５】  本発明のヘッドホンの第２の実施形態を示す正面概略図である。
【図６】  同上第２の実施形態に係るヘッドホンの上面概略図である。
【図７】  同上第２の実施形態に係るヘッドホンの上面概略断面図である。
【図８】  本発明のヘッドホンの第３の実施形態を示す正面概略図である。
【図９】  同上第３の実施形態に係る本発明のヘッドホンの上面概略図である。
【図１０】  同上第３の実施形態に係る本発明のヘッドホンの上面概略断面図である。
【図１１】  従来のヘッドホンを示す正面概略図である。
【図１２】  同上従来のヘッドホンの上面概略図である。
【図１３】  同上従来のヘッドホンの上面概略断面図である。
【符号の説明】
１  ヘッドホン本体
２  ドライブユニット
３  スピーカユニット
４  イヤーパッド
５  ハウジング
６  耳掛け
【図１】
0003865653.tif 000002
【図２】
0003865653.tif 000003
【図３】
0003865653.tif 000004
【図４】
0003865653.tif 000005
【図５】
0003865653.tif 000006
【図６】
0003865653.tif 000007
【図７】
0003865653.tif 000008
【図８】
0003865653.tif 000009
【図９】
0003865653.tif 000010
【図１０】
0003865653.tif 000011
【図１１】
0003865653.tif 000012
【図１２】
0003865653.tif 000013
【図１３】
0003865653.tif 000014